(57)【特許請求の範囲】
【請求項１】
データとして入力された予定を複数の日にちの予定表内の対応する予定表示枠に表示させる予定管理装置に於いて、
予定を対応する前記表示枠に表示させる予定表示制御部と、
前記各表示枠に表示させる内容が複数存在する場合、所定の切替時間間隔で、前記表示枠の表示内容を他の内容に切り替える表示切替部と、
切り替えて表示させる日にちの範囲を指定する切替表示枠指定部とを備え、
前記表示切替部は、前記切替表示枠指定部で指定された前記日にちの範囲の前記表示枠に対して表示内容を切り替えて表示することを特徴とする予定管理装置。
【請求項２】
請求項１記載の予定管理装置に於いて、
前記表示切替部は、複数の予定がある場合、予定単位で予定表示枠の表示内容を切り替えることを特徴とする予定管理装置。
【請求項３】
請求項１記載の予定管理装置に於いて、
前記表示切替部は、任意の前記切替時間間隔を指定する時間指定部を備えたことを特徴とする予定管理装置。
【請求項４】
請求項１記載の予定管理装置に於いて、
前記表示切替部は、予定表示枠に対する表示内容の一括切替え、縦スクロール切替え又は横スクロール切替えのいずれかの方法にてその表示内容を切り替えることを特徴とする予定管理装置。
【請求項５】
請求項１記載の予定管理装置に於いて、前記表示切替部は、予定表示枠に対する表示内容の切替え方法を選択する切替方法選択部を備えたことを特徴とする予定管理装置。
【請求項６】
請求項１記載の予定管理装置に於いて、
前記切替表示枠指定部は、全ての予定表示枠、当日の予定表示枠、又は当日から所定の日数先までの予定表示枠を指定して予定を切替表示することを特徴とする予定管理装置。
【請求項７】
請求項１記載の予定管理装置に於いて、
前記予定表示制御部は月間予定表又は週間予定表を表示すると共に、前記月間予定表と週間予定表の日付枠の中の１又は複数の予定表示に予定を表示し、前記表示切替部は前記予定表示枠の予定を切替表示することを特徴とする予定管理装置。
【請求項８】
データとして入力された予定を複数の日にちの予定表内の対応する予定表示枠に表示させる予定管理方法に於いて、
予定を対応する予定表示枠に表示させる予定表示制御ステップと、
前記各予定表示枠に表示させる内容が複数存在する場合、所定の切替時間間隔で、前記予定表示枠の表示内容を他の内容に切り替える表示切替ステップと
切り替えて表示させる日にちの範囲を指定する切替表示枠指定ステップとを備え、
前記表示切替ステップは前記切替表示枠指定ステップで指定された前記日にちの範囲の前記予定表示枠に対して表示内容を切り替えて表示することを特徴とする予定管理方法。
【請求項９】
請求項８記載の予定管理方法に於いて、
前記表示切替ステップは、複数の予定がある場合、予定単位で前記予定表示枠の表示内容を切り替えることを特徴とする予定管理方法。
【請求項１０】
コンピュータに、
データとして入力された予定を複数の日にちの予定表内の対応する予定表示枠に表示させる予定表示制御ステップと、
所定の切替時間間隔で、前記予定表示枠の表示内容を他の内容に切り替える表示切替ステップと、
切り替えて表示させる日にちの範囲を指定する切替表示枠指定ステップと備え、
前記表示切替ステップは、前記切替表示枠指定ステップで指定された前記日にちの範囲の予定を切り替えて表示するよう実行させることを特徴とする予定管理プログラムを格納したコンピュータ可読の記録媒体。
【請求項１１】
請求項１０記載の記録媒体に於いて、
前記表示切替ステップは、複数の予定がある場合、予定単位で前記予定表示枠の表示内容を切り替えることを特徴とする記録媒体。
【請求項１２】
コンピュータに、
データとして入力された予定を対応する予定表示枠に表示させる予定表示制御ステップと、
所定の切替時間間隔で、前記予定表示枠の表示内容を他の内容に切り替える表示切替ステップと、
切り替えて表示させる日にちの範囲を指定する切替表示枠指定ステップと備え、
前記表示切替ステップは、前記切表示枠指定ステップで指定された前記日にちの範囲の予定を切り替えて表示するよう実行させることを特徴とする予定表示プログラム。
【発明の詳細な説明】
【０００１】
【発明の属する技術分野】
本発明は、月間予定、週間予定等の予定表の日付枠に対応して予定を表示する予定管理装置、予定管理方法、予定管理プログラムを格納したコンピュータ可読の記録媒体及び予定管理プログラムに関し、特に、予定表の日付枠の中の限られたスペースに予定の件名等を表示して管理する予定管理装置、予定管理方法、予定管理プログラムを格納したコンピュータ可読の記録媒体及び予定管理プログラムに関する。
【０００２】
【従来の技術】
従来、携帯端末、パーソナルコンピュータ等の個人やグループでの使用を目的とした情報処理機器にあっては、ＰＩＭ(Personal Information Manager)やＰＤＡ(Personal Data Assistant）として知られた情報管理システムを使用している。このような情報管理システムにあっては、予定表を作成して管理する予定表管理機能が組み込まれている。
【０００３】
従来の予定表管理機能にあっては、月間予定を選択すると、図１５のように、カレンダー形式の月間予定表２００が表示される。この月間予定表２００には例えば９／７の日付け枠２０２のように、予定表示枠２０４の中に「１６：００  商」のように時間と内容を示す予定表示を行う。ここで、「商」は「商談」を意味する。
【０００４】
また同日に複数の予定がある場合には、日付け枠２０２の中にスクロールボタン２０６が表示され、スクロールボタン２０６をマウスで押す操作をすることで、予定表示枠２０４の表示内容を次々と切替表示するようにしている。
【０００５】
これ以外の予定表示としては、９／８の「１３：００  打合」がある。また時間を示していない９／１の「会議」や９／１８の「会議」等の予定表示は、予定内容が固定表示されるイベント表示であり、イベント表示も予定の１つである。
【０００６】
【発明が解決しようとする課題】
しかしながら、このような従来の予定管理装置にあっては、同日に複数の予定が設定されている場合や予定の内容が予定表示枠に表示しきれない場合に、予定を確認するためにスクロールボタンをマウスで押し下げる操作またはキーボード操作などを必要とし、予定を確認するための操作が面倒であるという問題があった。
【０００７】
本発明は、このような従来の問題点に鑑みてなされたもので、煩雑な操作をすえることなく予定を容易に確認できるようにした予定管理装置、予定管理方法、予定管理プログラムを格納したコンピュータ可読の記録媒体及び予定管理プログラムを提供することを目的とする。
【０００８】
【問題を解決するための手段】
図１は本発明の原理説明図である。本発明はデータとして入力された予定を複数の日にちの予定表内の対応する予定表示枠に表示させる予定管理装置に於いて、予定を対応する表示枠に表示させる予定表示制御部４４と、各表示枠に表示させる内容が複数存在する場合に所定の切替時間間隔で表示枠の表示内容を他の内容に切り替える表示切替部３６と、
切り替えて表示させる日にちの範囲を指定する切替表示枠指定部４２とを備え、表示切替部３６は、切替表示枠指定部４２で指定された日にちの範囲の表示枠に対して表示内容を切り替えて表示することを特徴とする。
【０００９】
このため同日に複数の予定があっても、スクロールボタンやキーボード等の操作を必要とすることなく、設定された時間間隔で表示予定が自動的に切り替わり、全ての予定を容易に確認することができる。
【００１０】
表示切替部３６は、複数の予定がある場合、予定単位で予定表示枠７０の表示内容を切り替える。
【００１１】
表示切替部３６は、任意の切替時間間隔を指定する時間指定部３８を備える。また表示切替部３６は、予定表示枠７０に対する表示内容の一括切替え、縦スクロール切替え又は横スクロール切替えのいずれかの方法にてその表示内容を切り替える。また表示切替部３６は、予定表示枠に対する表示内容の切替え方法を選択する切替方法選択部４０を備える。
【００１２】
更に表示切替部３６は、表示内容を切替えて表示させる１又は複数の予定表示枠７０を指定する切替表示枠指定部４２を備える。この切替表示枠指定部４２は、全ての予定表示枠、当日の予定表示枠、又は当日から所定の日数先までの予定表示枠を指定して予定を切替表示する。このように複数ある予定の自動切替えの範囲が指定できることで、更に使い易く便利になる。
【００１３】
予定表示制御部４４は、月間予定表又は週間予定表を表示すると共に、月間予定表と週間予定表の日付枠の中に１又は複数の予定表示枠７０に予定を表示し、表示切替部３６は予定表示枠の予定を切替表示する。
【００１４】
本発明は、また、管理している予定を表示させる予定管理方法を提供するものであり、予定を対応する予定表示枠に表示させる予定表示制御ステップと、所定の切替時間間隔で、予定が表示されている前記予定表示枠の表示内容を他の内容に切り替える表示切替ステップとを備える。
【００１５】
ここで、表示切替ステップは、複数の予定がある場合、予定単位で前記予定表示枠の表示内容を切り替える。また表示切替ステップは、任意の前記切替時間間隔を指定する時間指定ステップを備える。また表示切替ステップは、予定表示枠に対する表示内容の一括切替え、縦スクロール切替え又は横スクロール切替えのいずれかの方法にてその表示内容を切り替える。このため表示切替ステップは、前記予定表示枠に対する表示内容の切替え方法を選択する切替方法選択ステップを備える。
【００１６】
更に、表示切替ステップは、表示内容を切替えて表示する１又は複数の予定表示枠を指定する切替表示枠指定ステップを備える。この切替表示枠指定ステップは、全ての予定表示枠、当日の予定表示枠、又は当日から所定の日数先までの予定表示枠を指定して予定を切替表示する。
【００１７】
予定表示ステップは、月間予定表又は週間予定表を表示すると共に、月間予定表と週間予定表の日付枠の中に１又は複数の予定表示枠に予定を表示し、表示切替えステップは予定表示枠の予定を切替表示する。  更に、本発明は、予定管理プログラムを格納したコンピュータ可読の記録媒体を提供するものである。  即ち、記録媒体は、コンピュータに、予定を対応する予定表示枠に表示させる予定表示制御ステップと、所定の切替時間間隔で、予定が表示されている前記予定表示枠の表示内容を他の内容に切り替える表示切替ステップとを実行させる予定管理プログラムを格納する。
【００１８】
ここで予定管理プログラムの表示切替ステップは、複数の予定がある場合、予定単位で予定表示枠の表示内容を切り替える。また表示切替ステップは、任意の前記切替時間間隔を指定する時間指定ステップを備える。また表示切替ステップは、予定表示枠に対する表示内容の一括切替え、縦スクロール切替え又は横スクロール切替えのいずれかの方法にてその表示内容を切り替える。また表示切替ステップは、予定表示枠に対する表示内容の切替え方法を選択する切替方法選択ステップを備える。
【００１９】
更に、予定管理プログラムの表示切替ステップは、表示内容を切替えて表示する１又は複数の予定表示枠を指定する切替表示枠指定ステップをコンピュータに実行させる。
【００２０】
更に、予定管理プログラムの切替表示枠指定ステップは、全ての予定表示枠、当日の予定表示枠、又は当日から所定の日数先までの予定表示枠を指定して予定情報を切替表示する。
【００２１】
更に又、予定管理プログラムの予定表示ステップは、月間予定表又は週間予定表を表示すると共に、月間予定表と週間予定表の日付枠の中に１又は複数の予定表示枠に予定を表示し、表示切替ステップは予定表示枠の予定を切替表示する。
【００２２】
また本発明は、コンピュータに、
予定を対応する予定表示枠に表示させる予定表示制御ステップと、
所定の切替時間間隔で、予定が表示されている予定表示枠の表示内容を他の内容に切り替える表示切替ステップと、
を実行させることを特徴とする予定管理プログラムを格納したコンピュータ可読の記録媒体を提供する。
【００２３】
更に本発明は、コンピュータに、
予定を対応する予定表示枠に表示させる予定表示制御ステップと、
所定の切替時間間隔で、予定が表示されている予定表示枠の表示内容を他の内容に切り替える表示切替ステップと、
を実行させることを特徴とする予定管理プログラムを提供する。
【００２４】
【発明の詳細な説明】
図２は、本発明の予定管理装置が適用されるハードウェア構成の一例である。図２において、本発明の予定管理装置は、ＣＰＵ１０、ＲＯＭを用いたプログラムメモリ１２、ＰＲＡＭ等を用いた主記憶１４、ハードディスクドライブ（ＨＤＤ）を用いた２次記憶１６、キーボード，マウス，タッチペンタブレット等を用いた入力部１８、ＣＲＴや液晶等のディスプレイを用いた表示部２０、外部との通信を行う通信部２２を備える。
【００２５】
このような本発明が適用される予定管理装置としては、携帯情報端末機やパーソナルコンピュータ等の適宜の情報機器が含まれる。
【００２６】
ＣＰＵ１０は、プログラム制御により実現される本発明の予定管理装置のための予定管理モジュール１１を備える。この予定管理モジュール１１は、例えばＰＩＭやＰＤＡとして提供されるアプリケーションプログラムで実現される。
【００２７】
本発明が対象とする予定管理モジュール１１は、入力した予定を管理して表示するものであり、その機能として予定表の日付に対応した予定表示枠の中に予定を表示する予定表示制御機能と、複数の予定がある場合に所定の切替時間間隔で予定表示枠に表示している予定を次の予定に順次切り替える表示切替機能を備えている。
【００２８】
この予定管理モジュール１１における予定の表示と表示切替のため、２次記憶１６には予定情報レコード２４、雛形レコード２６及び切替制御レコード２８が格納され、予定管理モジュール１１で予定表示処理を行う際に主記憶１４に展開されて、予定表の表示と予定の表示している予定の切替表示を行う。
【００２９】
図３は、図２の予定管理モジュール１１で実現される本発明の予定管理装置の機能ブロック図である。
【００３０】
図２において、本発明の予定管理装置は、操作部３０と制御部３２及び表示部２０で構成される。操作部３０には予定入力部３４と表示切替部３６が設けられる。表示切替部３６には切替時間指定部３８、切替方法選択部４０及び切替表示枠指定部４２が設けられている。
【００３１】
制御部３２には予定表示制御部４４が設けられ、予定表示制御部４４による予定表示の制御処理のため、図２の２次記憶１６に格納している予定情報レコード２４、雛形レコード２６及び切替制御レコード２８がデータ及び制御パラメータとして展開されている。
【００３２】
予定表示制御部４４は、予定入力部３４から入力された予定情報に基づく予定情報レコード２４を参照し、例えば図４の予定表画面６４に示すような月間予定表６６を表示部２０に表示する。この月間予定表６６は、予定表画面６４の上部に設けている月間予定選択ボタン６５をマウスで操作することで、図３の月間予定表雛形４６に基づいて表示される。
【００３３】
月間予定表６６は、例えば１９９９年１月を例にとっており、１月１日から３０日までの日付枠のそれぞれに日付の数字１〜３０が示されている。このような月間予定表６６の中には、例えば１月１２日の日付枠６８に示すように、予定情報レコード２４の中に該当する予定がある場合、予定表示枠７０を表示し、その中に「予定１  １０：３０」という予定を表示している。
【００３４】
また、この１月１２日の予定は複数あることから、日付枠６８の右上に予定表示枠７０の内容を切替表示するためのスクロールボタン７２を表示している。このスクロールボタン７２をマウスによる押し下げで予定表示枠７０の予定を切り替える機能は、図１５の従来装置と同じである。
【００３５】
これに加え本発明にあっては、図３の表示切替部３６により予め予定の自動切替を指定しておくと、図４の予定表示枠７０に表示する予定がそのとき指定した切替時間の間隔で次の予定となるように自動的に切り替えられる。
【００３６】
図５は、図４の予定表示枠７０に表示される複数の予定がある場合の予定表示データ７８であり、時刻と内容に分けて予定表示データ７８−１〜７８−５の５つが予定表示レコード２４に基づいて作成されている。
【００３７】
図６は、図３の制御部３２に展開している予定情報レコード２４の１つを具体的に示している。予定情報レコード４８−１は、ＩＤに続いて件名１０２、場所１０４、内容１０６、開始日時１１０、終了日時１１４、分類１２０、依頼元１２２、依頼先１２４、優先度１２６、表示色１２８、イベント１３０及びシークレット１３２の各情報を持っており、これらの情報は図７に示す予定表作成画面１００により入力することができる。
【００３８】
図７の予定表作成画面１００には、まず左側上部から件名１０２が示され、続いて場所１０４が示され、その下に内容１０６が設けられる。また右側には上部から開始／終了設定ボタン１０８が設けられ、このボタン操作で予定の開始と終了を設定できる。
【００３９】
続いて開始年月日１１０の操作ボタン、開始時刻１１２の操作ボタン、終了年月日１１４の操作ボタン、終了時刻１１６の操作ボタン、更に終日１１８の操作ボタンを設けている。続いて分類１２０、依頼元１２２、依頼先１２４、優先度１２６、表示色１２８の入力枠が設けられる。
【００４０】
更に、右下側にはイベント１３０とシークレット１３２が設けられる。イベント１３０をオンすると、予定内容の固定表示とするイベント表示が行われる。更に右下隅にはＯＫボタン１３４とキャンセルボタン１３６が設けられている。
【００４１】
図５のように予定表示データ７８に複数の予定がある場合、図４の予定表画面６４にあっては、月間予定表６６の１月１２日の日付枠６８の中に１つの予定表示枠７０を設けてここに予定を表示しているが、例えば図８のように予定表示画面６４をマウスの操作でフルサイズに拡大した場合には、日付枠６８の中に例えば３つの予定表示枠７０−１，７０−２，７０−３を表示することができ、これによって同時に、時間的に連続する３つの予定を表示することができる。
【００４２】
図９は、予定表示画面６４で週間予定選択ボタン７４をマウスで操作したときの週間予定表７６の表示画面である。この週間予定表７６の表示画面にあっては、例えば１月１７日から２３日までの１週間分の予定表が、横軸を日付とし縦軸を１日の時間で表示している。
【００４３】
この週間予定表７６にあっては、時間単位に予定を表示できることから、図４や図８の月間予定表６６に示したような予定表示枠による予定表示は必要ない。しかしながら、週間予定表７６の表示サイズを小さくしたような場合には、時間ごとに予定を表示ができないことから、月間予定表６６の場合と同様な予定表示枠７０による予定の切替表示を行なう。
【００４４】
図１０は、図３の表示切替部３６に設けた切替時間指定部３８、切替方法選択部４０及び切替表示枠指定部４２の各操作機能を実現するための切替制御画面８０の説明図である。
【００４５】
この切替制御画面８０には、自動切替選択ボタン８２が設けられ、この自動切替選択ボタン８２をマウスでクリックすることにより、時間による予定の自動切替えの機能が有効となる。次の切替時間設定窓８
４に、予定を自動切替えするための時間間隔を設定する。
【００４６】
この時間間隔はスクロールボタン８４−１を操作するごとに例えば１秒単位で増加し、またスクロールボタン８４−２を操作するごとに１秒単位で減少し、必要とする任意の時間間隔が設定できる。この時間間隔の設定は、デフォルトとしては例えば図示のように５秒が設定されている。
【００４７】
続いて図３の切替方法選択部４０の機能を実現する切り替え方法８６を設けている。この切り替え方法８６にあっては、一括切替ボタン８６−１、縦スクロールボタン８６−２及び横スクロールボタン８６−３を設けており、この例では一括切替ボタン８６−１をマウスにより選択して指定している。
【００４８】
切替方法指定部の右側には、図３の切替表示枠指定部４２の機能を実現するための切り替え対象８８が設けられている。この切り替え対象８８には、前日指定ボタン８８−１、当日指定ボタン８８−２、１日先までの指定ボタン８８−３、２日先までの指定ボタン８８−４、３日先までの指定ボタン８８−５、更に１週間先までの指定ボタン８８−６が設けられており、この例では当日指定ボタン８８−２がマウスにより選択されて指定されている。更に下側にはＯＫボタン９０とキャンセルボタン９２を設けている。
【００４９】
図１１は、図１０の切替制御画面８０の切替方法指定部８６で一括切替ボタン８６−１により予定表示の一括切替えを選択した場合の表示切替えの様子であり、図５に示した予定表示データ７８を例にとっている。
【００５０】
即ち、時間の経過に応じて分けて示した５つの予定表示データ７８−１〜７８−５について、まず日付枠８６−１のように予定表示枠７０−１に最初の「予定１  １０：３０」が表示され、図１０の切替時間間隔窓８４で指定された切替時間間隔５秒を経過すると、日付枠６８−２に示す予定表示枠７０−２の予定「予定２  １３：３０」の表示に切り替わる。
【００５１】
以下、日付枠６８−３〜６８−５のように５秒間隔で３番目、４番目、５番目の予定に切り替わり、５番目の予定表示枠７０−５の表示が済むと再び最初の予定表示枠７０−１の表示に戻る処理、即ち複数の予定のラウンドロビンによる表示を繰り返す。
【００５２】
図１２は、図９の切り替え方法８６として、横スクロールボタン８６−３を操作して横スクロールの表示切替えを選択した場合である。
【００５３】
この場合には、最初の予定表示枠７０−１の表示から次の予定表示枠７０−２の予定に切り替わる際に、横スクロールの変化を示した予定表示枠７０−１１〜７０−１４のように、最初の表示データ「予定１  １０：３０」に続く次の予定「予定２  １３：３０」が左側から右側に移動して切り替わる。
【００５４】
図１３は、図１０の切り替え方法８６で縦スクロールボタン８６−２をマウスで選択した場合の縦スクロールによる予定の表示切替えである。即ち、図１３は、日付枠６８−１の予定表示枠７０−１から日付枠６８−２の予定表示枠７０−１の内容に縦スクロールで切り替わる場合を示し、設定した時間間隔例えば５秒に達すると、縦スクロールにより切替え途中の日付枠６８−２１の予定表示枠７０−２１のように、最初の予定の表示データが上に動いて、続いて下側から次の予定表示データが現れ、次の予定表示枠７０−２の予定表示に切り替わる。
【００５５】
更に、このような予定表示の切替方法に従った一括切替え、縦スクロール切替え及び横スクロール切替えは、図１０の切り替り対象８８に設けているどの範囲での自動切替えかを指定することにより、指定した範囲で予定の自動切替表示が行われる。
【００５６】
図１４は、図３に示した本発明の予定管理装置による予定表示処理のフローチャートである。予定表示処理を起動すると、ステップＳ１で、選択した予定表例えば月間予定表の枠と内容を例えば図４のように表示する。ここで切替対象を当日に選択していたとすると、ステップＳ２で当日の予定が複数あるか否かチェックする。
【００５７】
複数の予定があればステップＳ３に進み、図１０の切替制御画面８０によって予定表示の自動切替えが選択されているか否かチェックする。自動切替えが選択されていればステップＳ４に進み、設定切替時間に到達したか否かチェックし、到達した場合にはステップＳ５に進み、表示データを同じく図１０の切替制御画面８０で選択していた一括切替え、縦スクロール切替えまたは横スクロールの切替方法に従って変更して次の予定を表示する。このようなステップＳ１〜Ｓ５の処理を、ステップＳ６で予定表示処理の処理終了指示があるまで繰り返す。
【００５８】
尚、上記の実施形態にあっては、図４の月間予定表６６について説明を簡単にするため、１つの日付枠６８についてのみ予定表示を行う場合を例にとっているが、予定の日付や同日の予定の数に応じ複数の予定表示と自動切替えが任意にできる。
【００５９】
また上記の実施形態は、図３の切替表示枠指定部４２により予定の自動切替えを行う範囲を前日，当日というように指定しているが、この指定機能を持たず、予め固定した対象範囲、例えば当日についてのみ、予定の自動切替表示を行うようにしても良い。
【００６０】
更に本発明は上記の実施形態に限定されず、その目的と利点を損なわない適宜の変形を含み、更に上記の実施形態の数値による限定は受けない。
【００６１】
（付記）
（付記１）
管理している予定を表示させる予定管理装置に於いて、
予定を対応する予定表示枠に表示させる予定表示制御部と、
所定の切替時間間隔で、予定が表示されている前記予定表示枠の表示内容を他の内容に切り替える表示切替部と、
を備えたことを特徴とする予定管理装置。（１）
【００６２】
（付記２）
付記１記載の予定管理装置に於いて、前記表示切替部は、複数の予定がある場合、予定単位で前記予定表示枠の表示内容を切り替えることを特徴とする予定管理装置。（２）
【００６３】
（付記３）
付記１記載の予定管理装置に於いて、前記表示切替部は、任意の前記切替時間間隔を指定する時間指定部を備えたことを特徴とする予定管理装置。（３）
【００６４】
（付記４）
付記１記載の予定管理装置に於いて、前記表示切替部は、前記予定表示枠に対する表示内容の一括切替え、縦スクロール切替え又は横スクロール切替えのいずれかの方法にてその表示内容を切り替えることを特徴とする予定管理装置。（４）
【００６５】
（付記５）
付記１記載の予定管理装置に於いて、前記表示切替部は、前記予定表示枠に対する表示内容の切替え方法を選択する切替方法選択部を備えたことを特徴とする予定管理装置。（５）
【００６６】
（付記６）
付記１記載の予定管理装置に於いて、表示内容を切替えて表示させる１又は複数の予定表示枠を指定する切替表示枠指定部を備えたことを特徴とする予定管理装置。（６）
【００６７】
（付記７）
付記６記載の予定管理装置に於いて、前記切替表示枠指定部は、全ての予定表示枠、当日の予定表示枠、又は当日から所定の日数先までの予定表示枠を指定して予定を切替表示することを特徴とする予定管理装置。
【００６８】
（付記８）
付記１記載の予定管理装置に於いて、前記予定表示制御部は、月間予定表又は週間予定表を表示すると共に、前記月間予定表と週間予定表の日付枠の中の１又は複数の予定表示枠に予定を表示し、前記表示切替
部は前記予定表示枠の予定を切替表示することを特徴とする予定管理装置。
【００６９】
（付記９）
管理している予定を表示させる予定管理方法に於いて、
予定を対応する予定表示枠に表示させる予定表示制御ステップと、
所定の切替時間間隔で、予定が表示されている前記予定表示枠の表示内容を他の内容に切り替える表示切替ステップと、
を備えたことを特徴とする予定管理方法。（７）
【００７０】
（付記１０）
付記９記載の予定管理方法に於いて、前記表示切替ステップは、複数の予定がある場合、予定単位で前記予定表示枠の表示内容を切り替えることを特徴とする予定管理方法。（８）
【００７１】
（付記１１）
付記９記載の予定管理方法に於いて、前記表示切替ステップは、任意の前記切替時間間隔を指定する時間指定部を備えたことを特徴とする予定管理方法。
【００７２】
（付記１２）
付記９記載の予定管理方法に於いて、前記表示切替ステップは、前記予定表示枠に対する表示内容の一括切替え、縦スクロール切替え又は横スクロール切替えのいずれかの方法にてその表示内容を切り替えることを特徴とする予定管理方法。
【００７３】
（付記１３）
付記９記載の予定管理方法に於いて、前記表示切替ステップは、前記予定表示枠に対する表示内容の切替え方法を選択する切替方法選択部を備えたことを特徴とする予定管理方法。
【００７４】
（付記１４）
付記９記載の予定管理方法に於いて、前記表示切替ステップは、表示内容を切替えて表示する１又は複数の予定表示枠を指定する切替表示枠指定ステップを備えたことを特徴とする予定管理方法。
【００７５】
（付記１５）
付記１４記載の予定管理方法に於いて、前記切替表示枠指定ステップは、全ての予定表示枠、当日の予定表示枠、又は当日から所定の日数先までの予定表示枠を指定して予定を切替表示することを特徴とする予定管理方法。
【００７６】
（付記１６）
前記予定表示ステップは、月間予定表又は週間予定表を表示すると共に、前記月間予定表と週間予定表の日付枠の中の１又は複数の予定表示枠に予定を表示し、前記表示切替ステップは前記予定表示枠の予定を切替表示することを特徴とする予定管理方法。
【００７７】
（付記１７）
コンピュータに、
予定を対応する予定表示枠に表示させる予定表示制御ステップと、
所定の切替時間間隔で、予定が表示されている前記予定表示枠の表示内容を他の内容に切り替える表示切替ステップと、
を実行させることを特徴とする予定管理プログラムを格納したコンピュータ可読の記録媒体。（９）
【００７８】
（付記１８）
付記１７記載の記録媒体に於いて、前記表示切替ステップは、複数の予定がある場合、予定単位で前記予定表示枠の表示内容を切り替えることを特徴とする記録媒体。（１０）
【００７９】
（付記１９）
付記１７記載の記録媒体に於いて、前記表示切替ステップは、任意の前記切替時間間隔を指定する時間指定部を備えたことを特徴とする記録媒体。
【００８０】
（付記２０）
付記１７記載の記録媒体に於いて、前記表示切替ステップは、前記予定表示枠に対する表示内容の一括切替え、縦スクロール切替え又は横スクロール切替えのいずれかの方法にてその表示内容を切り替えることを特徴とする記録媒体。
【００８１】
（付記２１）
付記１７記載の記録媒体に於いて、前記表示切替ステップは、前記予定表示枠に対する表示内容の切替え方法を選択する切替方法選択部を備えたことを特徴とする記録媒体。
【００８２】
（付記２２）
付記１７の記録媒体に於いて、前記表示切替ステップは、表示内容を切替えて表示する１又は複数の予定表示枠を指定する切替表示枠指定ステップを備えたことを特徴とする記録媒体。
【００８３】
（付記２３）
付記２２の記録媒体に於いて、前記切替表示枠指定ステップは、全ての予定表示枠、当日の予定表示枠、又は当日から所定の日数先までの予定表示枠を指定して予定情報を切替表示する記録媒体。
【００８４】
（付記２４）
付記１７記載の記録媒体に於いて、前記予定表示ステップは、月間予定表又は週間予定表を表示すると共に、前記月間予定表と週間予定表の日付枠の中の１又は複数の予定表示枠に予定を表示し、前記表示切替えステップは前記予定表示枠の予定を切替表示する記録媒体。
【００８５】
（付記２５）
コンピュータに、
予定を対応する予定表示枠に表示させる予定表示制御ステップと、
所定の切替時間間隔で、予定が表示されている前記予定表示枠の表示内容を他の内容に切り替える表示切替ステップと、
を実行させることを特徴とする予定管理プログラム。（１１）
【００８６】
【発明の効果】
以上説明してきたように本発明によれば、複数予定がある場合に自動的に予定の表示を切り替えることにより、スクロールボタンやキーボードの操作を行わなくても、同日にある全ての予定を簡単且つ容易に確認でき、使い勝手の良い便利な予定の表示ができる。
【００８７】
また、予定の切替時間間隔が任意に設定できるため、ユーザの好みに応じた予定の自動切替えが提供できる。更に、複数ある予定の自動切替えの範囲を、当日・１日先まで・２日先までというように、ユーザの必要に応じて指定できることで、ユーザのニーズに対応した予定表示が適切にできる。
【図面の簡単な説明】
【図１】本発明の原理説明図
【図２】本発明のハードウェア構成の一例のブロック図
【図３】本発明による予定管理装置の機能ブロック図
【図４】本発明により表示制御される月間予定表の表示画面の説明図
【図５】複数ある予定の表示データの説明図
【図６】予定情報レコードの説明図
【図７】本発明で使用する予定表作成画面の説明図
【図８】フルサイズとした本発明により表示制御される月間予定表の表示画面の説明図
【図９】本発明により表示制御される週間予定表の表示画面の説明図
【図１０】本発明の予定表示の切替制御に使用する切替制御画面の説明図
【図１１】本発明による一括切替表示の説明図
【図１２】本発明による横スクロール表示の説明図
【図１３】本発明による縦スクロール表示の説明図
【図１４】本発明の予定表示処理のフローチャート
【図１５】従来の月間予定表での複数ある予定表示の説明図
【符号の説明】
１０：ＣＰＵ
１１：予定管理モジュール
１２：プログラムメモリ
１４：主記憶
１６：２次記憶
１８：入力部
２０：表示部
２２：通信部
２４；予定情報レコード
２６：雛形レコード
２８：切替制御レコード
３０：操作部
３２：制御部
３４：予定入力部
３６：表示切替部
３８：切替時間指定部
４０：切替方法選択部
４２：切替表示枠指定部
４４：予定表示制御部
４６：月間予定表雛形
４８：週間予定表雛形
５０：日予定表雛形
５２：時間間隔
５４：切替方法
５６：切替対象
６４：予定表画面
６５：月間予定選択ボタン
６６：月間予定表
６８：日付枠
７０：予定表示枠
７２：スクロールボタン
７６：週間予定表
７８：予定表示データ
８０：切替制御画面
８２：自動切替選択ボタン
８４：切替時間設定窓
８６：切り替え方法
８８：切り替え対象
９０：ＯＫボタン
９２：キャンセルボタン
１００：予定表作成画面（入力画面）
１０２：件名
１０４：場所
１０６：内容
１０８：開始終了選択ボタン
１１０：開始年月日
１１２：開始時刻
１１４：終了年月日
１１６：終了時刻
１１８：終日選択ボタン
１２０：分類
１２２：依頼元
１２４：依頼先
１２６：優先度
１２８：表示色
１３０：イベント
１３２：シークレット
【図１】
0003859123.tif 000002
【図２】
0003859123.tif 000003
【図３】
0003859123.tif 000004
【図４】
0003859123.tif 000005
【図５】
0003859123.tif 000006
【図６】
0003859123.tif 000007
【図７】
0003859123.tif 000008
【図８】
0003859123.tif 000009
【図９】
0003859123.tif 000010
【図１０】
0003859123.tif 000011
【図１１】
0003859123.tif 000012
【図１２】
0003859123.tif 000013
【図１３】
0003859123.tif 000014
【図１４】
0003859123.tif 000015
【図１５】
0003859123.tif 000016